(57)【要約】      （修正有）【課題】猫の移動を規制でき、かつ、物流コストを抑えることが可能な安全柵を提供する。【解決手段】安全柵１００は、鉛直方向に伸縮可能な少なくとも１枚の伸縮パネル１０と、伸縮パネル１０が取り付けられ鉛直方向に伸縮可能な伸縮フレーム３０と、を備え、伸縮パネル１０は、鉛直方向に延び鉛直方向に伸縮可能な複数の縦格子１１と、各縦格子１１を渡すように水平方向に延びる複数の桟部材と、を有し、複数の桟部材は、最も下方に位置する第１桟部材１２と、下から２番目に位置する第２桟部材１３と、最も上方に位置する第３桟部材１４と、を含み、第１桟部材１２と第２桟部材１３との距離は、縦格子の伸縮にかかわらず１００ｃｍ以上１２０ｃｍ以下である。【選択図】図１
0003211884.tif 000002
【実用新案登録請求の範囲】
【請求項１】
鉛直方向に伸縮可能な少なくとも１枚の伸縮パネルと、
前記伸縮パネルが取り付けられ鉛直方向に伸縮可能な伸縮フレームと、を備え、
前記伸縮パネルは、
鉛直方向に延び鉛直方向に伸縮可能な複数の縦格子と、
各縦格子を渡すように水平方向に延びる複数の桟部材と、を有し、
前記複数の桟部材は、最も下方に位置する第１桟部材と、下から２番目に位置する第２桟部材と、最も上方に位置する第３桟部材と、を含み、
前記第１桟部材と前記第２桟部材との距離は、前記縦格子の伸縮にかかわらず１００ｃｍ以上１２０ｃｍ以下である、安全柵。
【請求項２】
前記各縦格子は、
筒状の固定ポールと、
前記固定ポールに挿入されて内部を移動可能な可動ポールと、をそれぞれ有し、
前記第１桟部材は各固定ポールの下端に固定されており、
前記第２桟部材は各固定ポールの上端に固定されるとともに、各可動ポールが貫通できるように形成されており、
前記第３桟部材は各可動ポールの上端に固定されている、請求項１に記載の安全柵。
【請求項３】
前記伸縮フレームは、
前記伸縮パネルを挟むように配置され鉛直方向に延びる２つの縦枠部材と、
前記２つの縦枠部材の上方部分同士をつなぐ上枠部材と、
前記２つの縦枠部材の下方部分同士をつなぐ下枠部材と、を有し、
前記２つの縦枠部材は、それぞれ鉛直方向に伸縮し任意の長さで維持できるように構成されている、請求項１又は２に記載の安全柵。
【請求項４】
前記２つの縦枠部材は、それぞれ１８０ｃｍ以上２１０ｃｍ以下の範囲を含む任意の長さで維持できるように構成されている、請求項３に記載の安全柵。
【請求項５】
前記伸縮フレームは、
各縦枠部材の上方部分に固定されており、前記上枠部材を保持する上枠保持部材と、
各縦枠部材の下方部分に固定されており、前記下枠部材を保持する下枠保持部材と、を有し、
前記上枠保持部材及び前記下枠保持部材は、それぞれ前記伸縮パネルを回転可能に保持するパネル保持部を有する、請求項３又は４に記載の安全柵。
【請求項６】
前記伸縮フレームは、
鉛直方向に延び平面視において環状に配置された４つ以上の縦枠部材と、
隣り合う縦枠部材の上方部分同士をつなぐ上枠部材と、
隣り合う縦枠部材の下方部分同士をつなぐ下枠部材と、
各縦枠部材の上方部分に固定されており、隣り合う上枠部材同士を所定の角度をなすようにして両上枠部材を保持する上枠保持部材と、
各縦枠部材の下方部分に固定されており、隣り合う下枠部材同士を所定の角度をなすようにして両下枠部材を保持する下枠保持部材と、を有し、
前記伸縮パネルは隣り合う縦枠部材のそれぞれの間に取り付けられている、請求項１又は２に記載の安全柵。
【請求項７】
前記上枠保持部材及び前記下枠保持部材は、それぞれ前記伸縮パネルを回転可能に保持するパネル保持部を有する、請求項６に記載の安全柵。
【考案の詳細な説明】
【技術分野】
【０００１】
本考案は、ペットの移動を規制する安全柵に関する。
【背景技術】
【０００２】
下記の特許文献１等には、ペットの移動を規制する安全柵が開示されている。
【先行技術文献】
【特許文献】
【０００３】
【特許文献１】特開２０１７−４９５号公報
【考案の概要】
【考案が解決しようとする課題】
【０００４】
特許文献１等で開示されている安全柵は、一般的な大きさの犬であれば移動を規制することができる一方、猫は安全柵を飛び越えてしまうことから猫の移動を規制することはできなかった。猫が安全柵を飛び越えないようにするには、安全柵の高さを高くする必要があるが、安全柵の高さを高くすると安全柵を構成するパネルの面積が大きくなり物流コストが増加するという問題が生じる。また、安全柵を高くしても、猫がよじ登れるような構造であれば、猫の移動を規制することはできない。
【０００５】
本考案は、以上のような事情に鑑みてなされたものであり、猫の移動を規制でき、かつ、物流コストを抑えることが可能な安全柵を提供することを目的としている。
【課題を解決するための手段】
【０００６】
本考案の一態様に係る安全柵は、鉛直方向に伸縮可能な少なくとも１枚の伸縮パネルと、前記伸縮パネルが取り付けられ鉛直方向に伸縮可能な伸縮フレームと、を備え、前記伸縮パネルは、鉛直方向に延び鉛直方向に伸縮可能な複数の縦格子と、各縦格子を渡すように水平方向に延びる複数の桟部材と、を有し、前記複数の桟部材は、最も下方に位置する第１桟部材と、下から２番目に位置する第２桟部材と、最も上方に位置する第３桟部材と、を含み、前記第１桟部材と前記第２桟部材との距離は、前記縦格子の伸縮にかかわらず１００ｃｍ以上１２０ｃｍ以下である。
【０００７】
この構成によれば、伸縮パネル及び伸縮フレームが鉛直方向に伸縮するため、設置状態における安全柵の高さを高くすることができる。また、伸縮フレームの最も下方に位置する第１桟部材と下から２番目に位置する第２桟部材との距離が１００ｃｍ以上１２０ｃｍ以下であるため、猫は第１桟部材から第２桟部材に足をかけてよじ登ることは容易ではない。このように、上記の安全柵は高さが高く、猫がよじ登るのが容易ではないため、猫の移動を規制することができる。また、第１桟部材と第２桟部材との距離が１００ｃｍ以上１２０ｃｍ以下であるため、この距離に相当する長さ程度にまで伸縮パネルを縮めることができる。そのため、伸縮パネルの面積を小さくすることができ、安全柵の物流コストを抑えることができる。
【０００８】
前記各縦格子は、筒状の固定ポールと、前記固定ポールに挿入されて内部を移動可能な可動ポールと、をそれぞれ有し、前記第１桟部材は各固定ポールの下端に固定されており、前記第２桟部材は各固定ポールの上端に固定されるとともに、各可動ポールが貫通できるように形成されており、前記第３桟部材は各可動ポールの上端に固定されていてもよい。
【０００９】
この構成によれば、各固定ポールに対して各可動ポールを移動させることで伸縮パネルを鉛直方向に伸縮させることができる。しかも、このとき第１桟部材と第２桟部材が固定されている固定ポールは伸縮しないため、第１桟部材と第２桟部材の距離を一定に維持することができる。
【００１０】
上記の安全柵において、前記伸縮フレームは、前記伸縮パネルを挟むように配置され鉛直方向に延びる２つの縦枠部材と、前記２つの縦枠部材の上方部分同士をつなぐ上枠部材と、前記２つの縦枠部材の下方部分同士をつなぐ下枠部材と、を有し、前記２つの縦枠部材は、それぞれ鉛直方向に伸縮し任意の長さで維持できるように構成されていてもよい。
【００１１】
この構成によれば、縦枠部材を任意の長さで維持できるため、例えば縦枠部材の長さを窓枠の高さに合わせ、縦枠部材を窓枠内で突っ張るようにして安全柵を窓枠に固定することができる。安全柵を窓の手前に設置すれば、猫が窓から外に出るのを防ぐことができ、また、網戸を傷つけるのを防ぐことができる。
【００１２】
上記の安全柵において、前記２つの縦枠部材は、それぞれ１８０ｃｍ以上の２４０ｃｍ以下の範囲を含む任意の長さで維持できるように構成されていてもよい。
【００１３】
この構成によれば、掃出し窓の窓枠内で縦枠部材を突っ張るようにして安全柵を固定することもでき、床と天井の間で縦枠部材を突っ張るようにして安全柵を固定することもできる。
【００１４】
上記の安全柵において、前記伸縮フレームは、各縦枠部材の上方部分に固定されており、前記上枠部材を保持する上枠保持部材と、各縦枠部材の下方部分に固定されており、前記下枠部材を保持する下枠保持部材と、を有し、前記上枠保持部材及び前記下枠保持部材は、それぞれ前記伸縮パネルを回転可能に保持するパネル保持部を有するように構成してもよい。
【００１５】
この構成によれば、伸縮パネルを開閉することができるため、伸縮パネルが扉の役割を果たすことができる。つまり、上記の構成によれば、扉用のパネルを別途設ける必要がない。
【００１６】
上記の安全柵において、前記伸縮フレームは、鉛直方向に延び平面視において環状に配置された４つ以上の縦枠部材と、隣り合う縦枠部材の上方部分同士をつなぐ上枠部材と、隣り合う縦枠部材の下方部分同士をつなぐ下枠部材と、各縦枠部材の上方部分に固定されており、隣り合う上枠部材同士を所定の角度をなすようにして両上枠部材を保持する上枠保持部材と、各縦枠部材の下方部分に固定されており、隣り合う下枠部材同士を所定の角度をなすようにして両下枠部材を保持する下枠保持部材と、を有し、前記伸縮パネルは隣り合う縦枠部材のそれぞれの間に取り付けられていてもよい。
【００１７】
この構成によれば、例えば上枠保持部材及び下枠保持部材が隣り合う上枠部材同士及び下枠部材同士を９０度の角度をなすように保持して、平面視において四角形の囲いを形成したり、それ以外の形状の囲いを形成したりすることができる。
【００１８】
上記の安全柵において、前記上枠保持部材及び前記下枠保持部材は、それぞれ前記伸縮パネルを回転可能に保持するパネル保持部を有するようにしてもよい。
【００１９】
この構成によれば、伸縮パネルを開閉することができるため、伸縮パネルが扉の役割を果たすことができ、扉用のパネルを別途設ける必要がない。
【考案の効果】
【００２０】
上記の安全柵によれば、猫の移動を規制でき、かつ、当該安全柵の物流コストを抑えることができる。
【図面の簡単な説明】
【００２１】
【図１】図１は、第１実施形態に係る安全柵の正面図である。
【図２】図２は、第２実施形態に係る安全柵の正面図である。
【図３】図３は、第２実施形態に係る安全柵の側面図である。
【図４】図４は、第２実施形態に係る安全柵の平面図（上面図）である。
【図５】図５は、図２に示す上枠保持部の拡大図である。
【考案を実施するための形態】
【００２２】
（第１実施形態）
以下、本考案の一実施形態に係る安全柵について説明する。はじめに、第１実施形態に係る安全柵１００について説明する。図１は第１実施形態に係る安全柵１００の正面図である。
【００２３】
図１に示すように、安全柵１００は、鉛直方向に伸縮可能な２枚の伸縮パネル１０と、各伸縮パネル１０が取り付けられ、鉛直方向に伸縮可能な伸縮フレーム３０とを備えている。
【００２４】
＜伸縮パネル＞
各伸縮パネル１０は、水平方向に等間隔に配置された７本の縦格子１１と、各縦格子を渡すように水平方向に延びる３つの桟部材１２、１３、１４と、を有している。なお、以下では、３つの桟部材１２、１３、１４を下から順に、第１桟部材１２、第２桟部材１３、第３桟部材１４と称して説明する。
【００２５】
縦格子１１は、鉛直方向に延びており、鉛直方向に伸縮可能に構成されている。縦格子１１は、筒状の固定ポール１５と、固定ポール１５に挿入されて固定ポール１５の内部を移動可能な可動ポール１６と、を有している。可動ポール１６が固定ポール１５の内部を移動することにより、縦格子１１の長さが変動して鉛直方向に伸縮する。なお、固定ポール１５及び可動ポール１６は、いずれも断面円形であって、猫が足を掛けにくいように形成されている。
【００２６】
また、７本の縦格子１１のうち伸縮フレーム３０の縦枠部材３１（図１参照）に最も近い縦格子１１には、側部取付部材１７が設けられている。この側部取付部材１７は、縦枠部材３１に対応する部分が断面Ｃ字状に形成されており、縦枠部材３１に着脱可能に構成されている。このように、伸縮パネル１０は、側部取付部材１７を介して伸縮フレーム３０の縦枠部材３１に取り付けられている。
【００２７】
第１桟部材１２は、３つの桟部材１２、１３、１４のうち最も下方に位置する部材である。第１桟部材１２は各固定ポール１５の下端部分に固定されている。換言すれば、第１桟部材１２は、各縦格子１１の下端部分において、各縦格子１１を水平方向に等間隔に保持している。
【００２８】
なお、第１桟部材１２には下方に向かって延びる下部取付部材１８が設けられている。この下部取付部材１８は、伸縮フレーム３０の下枠部材３３（図１参照）に対応する部分が断面Ｃ字状に形成されており、下枠部材３３に着脱可能に構成されている。このように、伸縮パネル１０は、下部取付部材１８を介して伸縮フレーム３０の下枠部材３３に取り付けられている。
【００２９】
第２桟部材１３は、３つの桟部材１２、１３、１４のうち下から２番目に位置する部材である。第２桟部材１３は各固定ポール１５の上端部分に固定されている。換言すれば、第２桟部材１３は、各縦格子１１の中央部分において、各縦格子１１を水平方向に等間隔に保持している。また、隣り合う伸縮パネル１０の第２桟部材１３同士は、連結部材１９によって連結されている。
【００３０】
第２桟部材１３には、各可動ポール１６に対応する位置に図外の貫通孔が形成されている。各可動ポール１６はこの貫通孔を介して第２桟部材１３を貫通し、固定ポール１５に挿入されている。さらに、第２桟部材１３の一部の縦格子１１に対応する部分には、つまみ付きの固定ねじ２１が取り付けられている。この固定ねじ２１をつまんで締め付けることにより、固定ねじ２１の先端部が対応する可動ポール１６に接触し、可動ポール１６の移動が制限され、ひいては伸縮パネル１０の伸縮が制限される。
【００３１】
第３桟部材１４は、３つの桟部材１２、１３、１４のうち最も上方に位置する部材である。第３桟部材１４は各可動ポール１６の上端部分に固定されている。換言すれば、第３桟部材１４は、各縦格子１１の上端部分において、各縦格子１１を水平方向に等間隔に保持している。なお、第２桟部材１３と第３桟部材１４の距離は、伸縮パネル１０が伸縮することにより変動する。
【００３２】
また、第３桟部材１４には上方に向かって延びる上部取付部材２２が設けられている。この上部取付部材２２は、伸縮フレーム３０の上枠部材３２（図１参照）に対応する部分が断面Ｃ字状に形成されており、上枠部材３２に着脱可能に構成されている。このように、伸縮パネル１０は、上部取付部材２２を介して伸縮フレーム３０の上枠部材３２に取り付けられている。
【００３３】
上記のとおり、第１桟部材１２は固定ポール１５の下端部分に固定され、第２桟部材１３は固定ポール１５の上端部分に固定され、さらに固定ポール１５の長さは変動しない。そのため、縦格子１１の伸縮にかかわらず、第１桟部材１２と第２桟部材１３との距離（以下、「段差距離」と称する）Ｄは一定である。そして、本実施形態では、この段差距離Ｄが１００ｃｍに設定されている。なお、段差距離Ｄは、厳密には第１桟部材１２の上面から第２桟部材１３の上面までの距離をいう。
【００３４】
段差距離Ｄが１００ｃｍであれば、猫が第１桟部材１２からジャンプしたとしても、第２桟部材１３に足を掛けることは難しいことから、猫が伸縮パネル１０をよじ登るのは容易ではない。また、段差距離Ｄが１００ｃｍであれば、伸縮パネル１０を縮めたときの長さは１００ｃｍよりも少し長い程度に抑えることができるため、伸縮パネル１０の面積を小さくすることができる。その結果、伸縮パネル１０を含む安全柵１００の物流コストを抑えることができる。なお、上記の効果は、段差距離Ｄが１００ｃｍ以上１２０ｃｍ以下であれば同様に奏することができる。
【００３５】
＜伸縮フレーム＞
伸縮フレーム３０は、伸縮パネル１０を挟むように配置され鉛直方向に延びる２つの縦枠部材３１と、２つの縦枠部材３１の上方部分同士をつなぐ上枠部材３２と、２つの縦枠部材３１の下方部分同士をつなぐ下枠部材３３と、を有している。
【００３６】
縦枠部材３１は、筒状の固定縦枠部材３４と、固定縦枠部材３４に挿入されて固定縦枠部材３４の内部を移動可能な可動縦枠部材３５と、を有している。可動縦枠部材３５が固定縦枠部材３４の内部を移動することにより、縦枠部材３１の長さが変動して鉛直方向に伸縮する。なお、固定縦枠部材３４及び可動縦枠部材３５は、いずれも断面円形である。そして、前述のとおり、縦枠部材３１には側部取付部材１７を介して伸縮パネル１０が取り付けられている。
【００３７】
また、固定縦枠部材３４の上端部分には絞り部材３６が設けられており、絞り部材３６をひねることにより固定縦枠部材３４の上端部分の内径が小さくなる。これにより、可動縦枠部材３５が固定縦枠部材３４に密着して固定される。つまり、縦枠部材３１は、絞り部材３６を操作することで任意の高さＨに維持することができる。換言すれば、縦枠部材３１の高さＨは任意に設定でき、維持することができる。
【００３８】
本実施形態では、縦枠部材３１は、それぞれ１８０ｃｍ以上２１０ｃｍ以下の範囲を含む任意の高さＨに維持できるように構成されている。そのため、一般的な掃出し窓の窓枠内で縦枠部材３１を突っ張るようにして安全柵１００を固定することもでき、床と天井の間で縦枠部材３１を突っ張るようにして安全柵１００を固定することもできる。
【００３９】
また、設置した安全柵１００が移動しないように、縦枠部材３１の上端部分及び下端部分には滑り止め部材３７が設けられている。さらに、縦枠部材３１の上端部分に設けられた滑り止め部材３７と可動縦枠部材３５の間には、滑り止め部材３７を鉛直上方に向かって付勢するコイルバネ状の付勢部材３８が設けられている。これにより、安全柵１００を窓枠内又は床と天井の間でしっかりと固定することができる。
【００４０】
上枠部材３２は、伸縮フレーム３０の上方部分に位置し、水平方向に延びる部材である。上枠部材３２は、幅方向両端部分に上枠固定部３９を有している。上枠固定部３９は、縦枠部材３１に対応する部分が断面Ｃ字状に形成されており、縦枠部材３１に着脱可能に構成されている。なお、上枠部材３２は断面円形であり、前述のとおり上枠部材３２には上部取付部材２２を介して伸縮パネル１０が取り付けられている。
【００４１】
下枠部材３３は、伸縮フレーム３０の下方部分に位置し、水平方向に延びる部材である。下枠部材３３は、幅方向両端部分に下枠固定部４０を有している。下枠固定部４０は、縦枠部材３１に対応する部分が断面Ｃ字状に形成されており、縦枠部材３１に着脱可能に構成されている。なお、下枠部材３３は断面円形であり、下部取付部材１８を介して伸縮パネル１０が取り付けられている。
【００４２】
以上が本実施形態に係る安全柵１００の構造である。本実施形態では、伸縮パネル１０を鉛直方向に伸ばすことで、設置状態における伸縮パネル１０の高さを高くすることができる。しかも、段差距離Ｄ（第１桟部材１２と第２桟部材１３との距離）は１００ｃｍであるため、猫は伸縮パネル１０をよじ登るは容易ではない。よって、本実施形態に係る安全柵１００によれば、猫が安全柵１００を飛び越えるのを防ぎ、猫の移動を規制することができる。
【００４３】
一方、伸縮パネル１０は伸縮フレーム３０に対して着脱可能であり、また伸縮フレーム３０の上枠部材３２及び下枠部材３３は縦枠部材３１に対して着脱可能であるため、安全柵１００を分解して搬送することが可能である。しかも、段差距離Ｄは１００ｃｍであるため、伸縮パネル１０を縮めた時の面積を小さくすることができる。よって、本実施形態に係る安全柵１００によれば、流通コストも抑えることができる。
【００４４】
（第２実施形態）
次に、第２実施形態に係る安全柵２００について説明する。図２は第２実施形態に係る安全柵２００の正面図であり、図３は第２実施形態に係る安全柵２００の左側面図であり、図４は第２実施形態に係る安全柵２００の平面図（上面図）である。なお、以下では、図２において安全柵２００の紙面手前側の面を「正面」、紙面奥側の面を「背面」、紙面右側の面を「右側面」、及び紙面左側の面を「左側面」と称して説明する。また、安全柵２００の背面は図２に示す正面と同様に構成されており、安全柵２００の右側面は図３に示す左側面と左右対称に構成されている。
【００４５】
第１実施形態に係る安全柵１００はいわば平面的な壁状に形成されていたのに対し、第２実施形態に係る安全柵２００は立体的な囲い状に形成されている。なお、図２乃至図４で示す構成要素のうち、図１で示す構成要素に対応するものには同じ符号を付するとともに、第１実施形態で行った説明と重複する説明は省略する。
【００４６】
＜伸縮フレーム＞
本実施形態の伸縮フレーム３０は、全体として直方体の形状を有しており、４つの縦枠部材３１と、４つの上枠部材３２と、４つの下枠部材３３と、を有している。図４に示すように、４つの縦枠部材３１は、平面視において環状に配置されている。より具体的には、４つの縦枠部材３１は、平面視において長方形の頂点に相当する位置に配置されている。また、各上枠部材３２は隣り合う縦枠部材３１の上方部分同士をつないでおり、各下枠部材３３は隣り合う縦枠部材３１の下方部分同士をつないでいる。
【００４７】
また、本実施形態の伸縮フレーム３０は、４つの上枠保持部材４１を有しており、この上枠保持部材４１を介して上枠部材３２と縦枠部材３１が接続されている。上枠保持部材４１は、各縦枠部材３１の上方部分に固定されており、隣り合う上枠部材３２同士を９０度の角度をなすようにして保持している。なお、本実施形態では、伸縮フレーム３０が上枠保持部材４１を有していることから、上枠部材３２は上枠固定部３９（図１参照）を有しておらず、縦枠部材３１の上端部分には滑り止め部材３７及び付勢部材３８（いずれも図１参照）は設けられていない。
【００４８】
ここで、図５は上枠保持部材４１の拡大図である。図５に示すように、上枠保持部材４１は、隣接する上枠部材３２がそれぞれ挿入される２つの水平筒部４３と、縦枠部材３１の上端部分が挿入される鉛直筒部４４とが、互いに９０度の角度をなして接続された形状を有している。そして、上枠保持部材４１は、水平筒部４３の下面部分において下方に向かって延びるパネル保持部４５を有している。パネル保持部４５は、伸縮パネル１０の第３桟部材１４に挿入されており、伸縮パネル１０を回転可能に保持している。
【００４９】
また、本実施形態の伸縮フレーム３０は、４つの下枠保持部材４２を有しており、この下枠保持部材４２を介して下枠部材３３と縦枠部材３１が接続されている。下枠保持部材４２は、各縦枠部材３１の下方部分に固定されており、隣り合う下枠部材３３同士を９０度の角度をなすようにして保持している。なお、本実施形態では、伸縮フレーム３０が下枠保持部材４２を有していることから、下枠部材３３は下枠固定部４０（図１参照）を有しておらず、縦枠部材３１の下端部分には滑り止め部材３７（図１参照）は設けられていない。
【００５０】
また、下枠保持部材４２は上枠保持部材４１と同じ形状を有しており、上枠保持部材４１とは上下が逆になるようにして使用される（図５参照）。つまり、下枠保持部材４２では、各水平筒部４３にそれぞれ下枠部材３３が挿入され、鉛直筒部４４に縦枠部材３１の下端部分が挿入される。そして、パネル保持部４５は水平筒部４３の上面部分から上方に向かって延びており、伸縮パネル１０の第１桟部材１２に挿入されて、伸縮パネル１０を回転可能に保持している。
【００５１】
なお、図４に示すように、本実施形態では４つの上枠部材３２の長さが全て同じではなく、右側面及び左側面に対応する上枠部材３２は、正面及び背面に対応する上枠部材３２よりも長い。同様に、４つの下枠部材３３のうち右側面及び左側面に対応する下枠部材３３は、正面及び背面に対応する下枠部材３３よりも長い。これら上枠部材３２及び下枠部材３３は、それぞれ取付位置に応じて予め長さが決まっているものを用いてもよく、長さを調整できるものを用いて取付位置に応じて長さを調整するようにしてもよい。
【００５２】
＜伸縮パネル＞
伸縮フレーム３０の正面、背面、左側面、及び右側面において、伸縮パネル１０は隣り合う縦枠部材３１の間に取り付けられている。ただし、伸縮フレーム３０の正面及び背面にはそれぞれ２枚の伸縮パネル１０が取り付けられており、右側面及び左側面にはそれぞれ３枚の伸縮パネル１０が取り付けられている。なお、伸縮フレーム３０の正面、背面、左側面、及び右側面に取り付けられている伸縮パネル１０は、いずれも段差距離Ｄは１００ｃｍである。また、伸縮フレーム３０の上面には２枚の伸縮パネル１０が取り付けられている。
【００５３】
伸縮フレーム３０の正面及び背面に取り付けられている伸縮パネル１０は、それぞれ上枠保持部材４１及び下枠保持部材４２のパネル保持部４５によって回動可能に保持されているとともに、側部取付部材１７を介して縦枠部材３１に回動可能に保持されている。また、伸縮フレーム３０の正面及び背面に取り付けられている伸縮パネル１０は、それぞれ第３桟部材１４が１つの上部取付部材２２を介して上枠部材３２に着脱可能に取り付けられており、第１桟部材１２は下枠部材３３に取り付けられていない。伸縮フレーム３０の正面及び背面に取り付けられている伸縮パネル１０は、以上のように構成されているため、安全柵２００の入口扉として機能する。
【００５４】
一方、伸縮フレーム３０の右側面及び左側面に取り付けられている伸縮パネル１０は、それぞれ２つの上部取付部材２２を介して第３桟部材１４が上枠部材３２に取り付けられており、２つの下部取付部材１８を介して第１桟部材１２が下枠部材３３に取り付けられている。また、伸縮フレーム３０の上面に取り付けられている伸縮パネル１０は、それぞれ２つの上部取付部材２２を介して第３桟部材１４が上枠部材３２に取り付けられており、２つの下部取付部材１８を介して第１桟部材１２が下枠部材３３に取り付けられている。
【００５５】
以上が本実施形態に係る安全柵２００の説明である。本実施形態に係る安全柵２００によれば、キャットタワー等の猫の遊び場とともに猫を安全柵２００で囲い、囲った範囲外に猫が移動するのを防止することができる。また、第１実施形態の場合と同様に、安全柵２００は猫がよじ登りにくい上に、安全柵２００を分解して伸縮パネル１０を縮めることで、流通コストも抑えることができる。
【００５６】
なお、本実施形態に係る安全柵２００は、平面視において長方形の形状を有していたが、例えば平面視において五角形の形状を有するなど、他の形状を有するようにしてもよい。具体的には、上枠保持部材４１及び下枠保持部材４２が有する２つの水平筒部４３の相対角度を変えれば、様々な形状の安全柵を形成することができる。
【００５７】
また、第２実施形態に係る安全柵２００で用いた上枠保持部材４１及び下枠保持部材４２を第１実施形態に係る安全柵１００に適用してもよい。この場合、上枠保持部材４１及び下枠保持部材４２は、１つの水平筒部４３と１つの鉛直筒部４４を垂直に連結したＬ字状の形状を有しており、水平筒部４３にはパネル保持部４５が設けられている。そして、この上枠保持部材４１を縦枠部材３１の上方部分に固定するとともに上枠部材３２を保持させ、下枠保持部材４２を縦枠部材３１の下方部分に固定するとともに下枠部材３３を保持させたうえで、各パネル保持部４５がそれぞれ伸縮パネル１０を回転可能に保持すれば、第１実施形態に係る安全柵１００においても伸縮パネル１０を扉として機能させることができる。
【符号の説明】
【００５８】
１０  伸縮パネル
１１  縦格子
１２  第１桟部材
１３  第２桟部材
１４  第３桟部材
１５  固定ポール
１６  可動ポール
３０  伸縮フレーム
３１  縦枠部材
４１  上枠保持部材
４２  下枠保持部材
４５  パネル保持部
１００、２００  安全柵
【図１】
0003211884.tif 000003
【図２】
0003211884.tif 000004
【図３】
0003211884.tif 000005
【図４】
0003211884.tif 000006
【図５】
0003211884.tif 000007